【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
ネットワーク内で通信を提供するための方法であって、
物理ランダムアクセスチャネル（ＰＲＡＣＨ）を使用してプリアンブルを送信するステップと、
前記ＰＲＡＣＨのパラメータに基づいてランダムアクセス応答（ＲＡＲ）の位置を決定するステップであって、前記位置は、前記ＲＡＲが送信されるサブフレームまたは周波数リソースのうちの少なくとも１つを含んでいる、ステップと、
前記決定された位置で前記ＲＡＲを受信するステップと
を備えることを特徴とする方法。
【請求項２】
カバレッジ拡張（ＣＥ）レベルに基づいてＰＲＡＣＨリソースを選択するステップをさらに備えることを特徴とする請求項１に記載の方法。
【請求項３】
前記ＲＡＲを受信するステップは、前記ＣＥレベルの関数として決定される応答ウィンドウ内で実行されることを特徴とする請求項２に記載の方法。
【請求項４】
前記ＰＲＡＣＨの前記パラメータに基づいて前記ＲＡＲの反復の数を決定するステップをさらに備えることを特徴とする請求項１に記載の方法。
【請求項５】
前記ＰＲＡＣＨの前記パラメータは、サブフレーム、前記ＰＲＡＣＨが送信される周波数リソース、または前記プリアンブルのうちの少なくとも１つを含んでいることを特徴とする請求項１に記載の方法。
【請求項６】
前記ＰＲＡＣＨが送信される前記周波数リソースは、少なくとも１つのリソースブロック（ＲＢ）を含んでいることを特徴とする請求項５に記載の方法。
【請求項７】
前記ＲＡＲが送信される前記周波数リソースは、少なくとも１つのリソースブロック（ＲＢ）を含んでいることを特徴とする請求項１に記載の方法。
【請求項８】
インジケーションを受信してランダムアクセス手順を開始するステップと、
前記受信されたインジケーションに基づいて前記プリアンブルを送信するステップとをさらに備えることを特徴とする請求項１に記載の方法。
【請求項９】
前記インジケーションは、物理ダウンリンク制御チャネル（ＰＤＣＣＨ）指令またはカバレッジ拡張（ＣＥ）レベルのうちの少なくとも１つを含んでいることを特徴とする請求項８に記載の方法。
【請求項１０】
前記ＣＥレベルに基づいてＰＲＡＣＨリソースを選択するステップと、前記選択されたＰＲＡＣＨリソースを使用して前記プリアンブルを送信するステップと、前記ＣＥレベルに基づいて前記プリアンブル送信を反復するステップとをさらに備えることを特徴とする請求項９に記載の方法。
【請求項１１】
前記ＰＲＡＣＨパラメータと前記ＲＡＲの位置との間の関係を提供する構成を受信するステップをさらに備えることを特徴とする請求項１に記載の方法。
【請求項１２】
前記構成はシステム情報内で受信されることを特徴とする請求項１１に記載の方法。
【請求項１３】
ネットワーク内の通信を提供するための方法であって、
プリアンブルが受信されるワイヤレス送受信ユニット（ＷＴＲＵ）のカバレッジ拡張（ＣＥ）レベルまたはＣＥモードのうちの少なくとも１つに関連付けられた物理ランダムアクセスチャネル（ＰＲＡＣＨ）を使用して前記プリアンブルを受信するステップと、
前記ＰＲＡＣＨのパラメータに基づいてランダムアクセス応答（ＲＡＲ）の位置を決定するステップであって、前記位置は、前記ＲＡＲが送信されるサブフレームまたは周波数リソースのうちの少なくとも１つを含んでいる、ステップと、
前記ＣＥレベルまたはＣＥモードに基づいて送信するために、前記ＲＡＲの反復の数を決定するステップと、
前記決定された反復の数を使用して、前記決定された位置で前記ＲＡＲを送信するステップと
を備えることを特徴とする方法。
【請求項１４】
前記ＷＴＲＵに関するＣＥ情報を、進化型ノードＢ（ｅＮＢ）デバイスまたはモビリティ管理エンティティ（ＭＭＥ）デバイスのうちの少なくとも１つに提供するステップをさらに備えることを特徴とする請求項１３に記載の方法。
【請求項１５】
前記ＣＥ情報は、前記ＣＥレベル、前記ＣＥモード、または前記ＣＥモードをサポートするための前記ＷＴＲＵの能力のうちの少なくとも１つを備えることを特徴とする請求項１４に記載の方法。
【請求項１６】
モビリティ管理エンティティ（ＭＭＥ）デバイスからＣＥ情報を受信するステップをさらに備えることを特徴とする請求項１３に記載の方法。
【請求項１７】
ワイヤレス送受信ユニット（ＷＴＲＵ）であって、
トランシーバと、
命令を実行して前記ＷＴＲＵに、
物理ランダムアクセスチャネル（ＰＲＡＣＨ）を使用してプリアンブルを送信することと、
前記ＰＲＡＣＨのパラメータに基づいてランダムアクセス応答（ＲＡＲ）の位置を決定することであって、前記位置は、前記ＲＡＲが送信されるサブフレームまたは周波数リソースのうちの少なくとも１つを含んでいる、決定することと、
前記決定された位置で前記ＲＡＲを受信することと
を行わせるためのプロセッサと
を備えたことを特徴とする、ＷＴＲＵ。
【請求項１８】
前記プロセッサは、カバレッジ拡張（ＣＥ）レベルに基づいてＰＲＡＣＨリソースを選択するように構成されたことを特徴とする請求項１７に記載のＷＴＲＵ。
【請求項１９】
前記プロセッサは、前記ＰＲＡＣＨの前記パラメータに基づいて前記ＲＡＲの反復の数を決定するように構成されたことを特徴とする請求項１７に記載のＷＴＲＵ。
【請求項２０】
前記ＰＲＡＣＨの前記パラメータは、サブフレーム、前記ＰＲＡＣＨが送信される周波数リソース、または前記プリアンブルのうちの少なくとも１つを含んでいることを特徴とする請求項１７に記載のＷＴＲＵ。
【請求項２１】
前記ＰＲＡＣＨが送信される前記周波数リソースは、少なくとも１つのリソースブロック（ＲＢ）を含んでいることを特徴とする請求項２０に記載のＷＴＲＵ。
【請求項２２】
前記ＲＡＲが送信される前記周波数リソースは、少なくとも１つのリソースブロック（ＲＢ）を含んでいることを特徴とする請求項１７に記載のＷＴＲＵ。
【請求項２３】
進化型ノードＢ（ｅＮＢ）デバイスであって、
トランシーバと、
命令を実行して前記ｅＮＢデバイスに、
プリアンブルが受信されるワイヤレス送受信ユニット（ＷＴＲＵ）のカバレッジ拡張（ＣＥ）レベルまたはＣＥモードのうちの少なくとも１つに関連付けられた物理ランダムアクセスチャネル（ＰＲＡＣＨ）を使用して前記プリアンブルを受信することと、
前記ＰＲＡＣＨのパラメータに基づいてランダムアクセス応答（ＲＡＲ）の位置を決定することであって、前記位置は、前記ＲＡＲが送信されるサブフレームまたは周波数リソースのうちの少なくとも１つを含んでいる、決定することと、
前記ＣＥレベルまたはＣＥモードに基づいて送信するために、前記ＲＡＲの反復の数を決定することと、
前記決定された反復の数を使用して、前記決定された位置で前記ＲＡＲを送信することと
を行わせるためのプロセッサと
を備えたことを特徴とするｅＮＢデバイス。
【請求項２４】
前記プロセッサは、前記トランシーバに、前記ＷＴＲＵに関するＣＥ情報を進化型ノードＢ（ｅＮＢ）デバイスまたはモビリティ管理エンティティ（ＭＭＥ）デバイスのうちの少なくとも１つに提供させるように構成されたことを特徴とする請求項２３に記載のｅＮＢデバイス。
【請求項２５】
前記ＣＥ情報は、前記ＣＥレベル、前記ＣＥモード、または前記ＣＥモードをサポートするための前記ＷＴＲＵの能力のうちの少なくとも１つを備えたことを特徴とする請求項２４に記載のｅＮＢデバイス。